(57)【要約】      （修正有）【課題】ピックアップアームと協働するストッパー部材を組み込んで、ペーパーのフィードチャネル内へのピックアップ適宜防止若しくはペーパーのフィードチャネル内へピックアップさせるフィード装置を提供する。【解決手段】ペーパーを載せるためのフィードチャネルを含むケースと、フィードチャネルの上端に設置し、第一位置まで上げられ予めペーパーをピックアップ準備した上で第二位置まで下げられピックアップする作業に用いられるピックアップアームとを含む。ストッパー部材はフィードチャネルの下端に設置し、さらにスピン部並びにストッパー部を含み、かつストッパー部はフォークを含む。ピックアップアームを第一位置まで移動すると凸部はフォークの振り経路に位置しストッパー部の振れ範囲を限定し、ピックアップアームを第二位置まで移動すると凸部はフォークの下端まで移動しストッパー部を自由に振り動かす。【選択図】  図３Ｂ
2008024505.tif 000002
【特許請求の範囲】
【請求項１】
ペーパーを載せるためのフィードチャネルを含むケースと、
前記フィードチャネルの上端に設置し、第一位置若しくは第二位置まで移動可能且つ凸部を含むピックアップアームと、
前記フィードチャネルの下端に設置し、さらにスピン部とストッパー部を含み、かつ前記ストッパー部はフォ―クを含むストッパー部材とを具備し、
前記ピックアップアームを第一位置まで移動すると前記凸部は前記フォークの振り経路に位置し、前記ストッパー部の振れ範囲が限定され、前記ピックアップアームを前記第二位置まで移動すると前記凸部は前記フォークの下端まで移動し、前記ストッパー部を自由に振らせることを特徴とするフィード装置。
【請求項２】
前記ピックアップアームがさらにピックアップ用のロールとパーティション用のロールを含むことを特徴とする、請求項1に記載するフィード装置。
【請求項３】
さらに前記ピックアップアームを駆動させるため、前記パーティション用のロールに設置した前記駆動シャフトを含むことを特徴とする、請求項1に記載するフィード装置。
【請求項４】
前記ストッパー部材にさらに秤部を含み、前記秤部と前記ストッパー部が前記スピン部の両端にそれぞれに設置し、かつ前記秤部が前記スピン部に加えるモーメントは前記ストッパー部が前記スピン部に加えるモーメントより大きいことを特徴とする、請求項1に記載するフィード装置。
【請求項５】
さらに前記ストッパー部に設置するねじりスプリングを含むことを特徴とする、請求項1に記載するフィード装置。
【発明の詳細な説明】
【技術分野】
【０００１】
本発明はフィード装置に関し、特にストッパー部材を具備したフィード装置に関するものである。
【背景技術】
【０００２】
従来、ユーザーがペーパーを大量にスキャンする際、人手を介して逐次スキャナー内にペーパーをセットしなければならず、このため貴重な時間並びに人的資源を多大に浪費してきた。こうした状況に鑑み、現行のスキャナーの大半にフィード装置が取り付けられ、ユーザーはペーパーをフィード装置のフィードチャネル上に置くだけで、フィード装置はフィードチャネル上部のピックアップモジュールを駆動させ、重なっているペーパーをスキャナー内にフィードさせ、これによって自動的に数十ページ分のペーパースキャン作業をこなす。
【０００３】
ユーザーが正しくペーパーをフィードチャネル上にセット出来るようにするため、従来のフィード装置はピックアップモジュール下部にストッパー部材を組み込み、ユーザーがペーパーをフィードチャネルに押し込むと、ストッパー部材がペーパーの先端に触れ、まずペーパーをピックアップモジュール下部に位置定めをし、ユーザーはこれでペーパーを定位置にセットしたと感じる。そしてフィード装置がピックアップモジュールを駆動させペーパーピックアップ作業をすると、ストッパー部材が移動し、ペーパーは順調にフィードチャネル内にピックアップされる。
【０００４】
図１は従来型のフィード装置内に組み込まれたピックアップモジュール並びにストッパー部材を示した立体図である。ストッパー部材１２はピックアップモジュール１１下部に回転可能式に組み込まれ、そのうち、ピックアップモジュール１１は当接部１１１を具備しており、さらにストッパー部材１２は傾斜部１２１並びにストッパー部１２２を含む。ピックアップモジュール１１がペーパーピックアップ準備位置まで上昇すると、ストッパー部材１２の当接部１２２は直立状態を呈し、これによりペーパーの先端を固定出来その機能を発揮する。さらにピックアップモジュール１１がペーパーピックアップ位置まで下降し、ピックアップ作業にかかると、ピックアップモジュール１１の当接部１１１も下降し、ストッパー部材１２の傾斜部１２１を圧迫し、これによりストッパー部材１２２が回転を生じフィードチャネル下部まで下降し、ペーパーは難なく傾斜部１２１のピークを通過し、ブロックされることがない。
【０００５】
上記の従来型のフィード装置のストッパー部材１２には下記の問題点が存在する。即ち、ユーザーがペーパーを一定量フィードチャネルに入れると、ストッパー部材１２のストッパー部１２２が底辺のペーパーを押さえ付けるだけであるため、最上部のペーパーがストッパー部材１２の傾斜部１２１に直に接触し下方へ押さえてしまうため、ペーパーピックアップ作業が開始しないうちにストッパー部材１２２は既にフィードチャネル下部まで下降してしまい、ペーパーストッパーの機能を果たさない。
【発明の開示】
【発明が解決しようとする課題】
【０００６】
本発明の目的はピックアップアームと協働するストッパー部材を組み込んで、ペーパーのフィードチャネル内へのピックアップ適宜防止若しくはペーパーのフィードチャネル内へピックアップさせるフィード装置を提供することである。
【０００７】
本発明はペーパーを載せるためのフィードチャネルを含むケース、ピックアップアーム、ストッパー部材を含むフィード装置を提供する。
【０００８】
フィードチャネルの上端に設置し、第一位置まで上げられ、予めペーパーをピックアップ準備した上で第二位置まで下げられ、ピックアップする作業に用いられるピックアップアームで、ピックアップアームは凸部を含む。ストッパー部材はフィードチャネルの下端に設置し、さらにスピン部並びにストッパー部を含み、かつストッパー部はフォークを含む。
【０００９】
ピックアップアームを第一位置まで移動すると凸部はフォークの振り経路に位置してストッパー部の振れ範囲を限定し、ピックアップアームが前記第二位置まで移動すると、凸部は前記フォークの下端まで移動して前記ストッパー部を自由に振り動かす。
【００１０】
利点は、ストッパー部材にさらに秤部を含み、前記秤部と前記ストッパー部が前記スピン部の両端にそれぞれに設置され、かつ前記秤部が前記スピン部に加えるモーメントは前記ストッパー部が前記スピン部に加えるモーメントより大きいことであり、また、フィード装置にはストッパー部にねじりスプリングが組み込まれていることである。
【発明を実施するための最良の形態】
【００１１】
図２は本発明における好ましい実施例を示したフィード装置の外観図である。フィード装置２はケース２０、ピックアップモジュール２１及びストッパー部材２２を含む。ケース２０はフィードチャネル２０１を含み、前記ケース２０にユーザーがスキャンしようとするペーパーＳを載せる。ピックアップモジュール２１はフィードチャネル２０１上部に取り付けられペーパーピックアップ作業を行い、ペーパーＳをフィード装置内に取り込む。ピックアップモジュール２１はピックアップアーム２１１及び駆動シャフト２１２を含み、そのうちピックアップアーム２１１はピックアップ用のロール２１１A及びパーティション用のロール２１１B（図３A参照）を含み、駆動シャフト２１２はピックアップアーム２１１を貫通してパーティション用のロール２１１B上に設置される。フィード装置２がペーパーピックアップ作業開始前若しくは作業完了後、ピックアップアーム２１１は駆動シャフト２１２の稼動を受けてペーパーピックアップ準備位置まで上昇する。フィード装置２がペーパーピックアップ作業を行なう際、ピックアップアーム２１１は駆動シャフト２１２の稼動を受けてペーパーピックアップ位置まで下降し、さらにピックアップ用のロール２１１Aを直接ペーパーＳの最上部に接触させてペーパーピックアップ作業を行なう。
【００１２】
図２では、ストッパー部材２２をフィードチャネル２０１下方の開口タイプの凹溝２０２（図４Ａ参照）内に組み込んでおり、ピックアップモジュール２１のピックアップアーム２１１がペーパーピックアップ準備位置まで上昇すると、ストッパー部材２２は直立状態を維持しつつペーパーＳのフィードチャネル２０１内への進入を防止すると共に、ピックアップモジュール２１のピックアップアーム２１１がペーパーピックアップ位置まで下降した際、ストッパー部材２２が自由に振れ動いて、ペーパーＳがストッパー部材２２を押さえてフィードチャネル２０１内へ進入可能となる。
【００１３】
図３Ａ並びに図３Ｂはピックアップモジュール２１並びにストッパー部材２２を示した立体図である。当該図によるとピックアップモジュール２１のピックアップアーム２１１がピックアップ準備位置まで上昇すると、ストッパー部材２２の直立状態を維持する状況、またピックアップモジュール２１のピックアップアーム２１１がペーパーピックアップ位置まで下降すると、ストッパー部材２２が自由に振れ動く状態に戻る状況を説明している。ストッパー部材２２はスピン部２２１、秤部２２２及びストッパー部２２３を含む。スピン部２２１は凹型溝２０２（図４Ａ参照）内に取り付けられた回転可能な円柱構造をしており、秤部２２２並びにストッパー部２２３が振れ動く際の支点となっている。ストッパー部２２３はプレート構造となっており、直接ペーパーＳの先端を押さえる。秤部２２２並びにストッパー部２２３はそれぞれスピン部２２１の両端に取り付けられ、かつ秤部２２２がスピン部２２１に与えるモーメントはストッパー部２２３がスピン部２２１に与えるモーメントより大きく、これによりペーパーＳがストッパー部２２３を圧迫しなくなると、秤部２２２はストッパー部２２３を元の直立状態まで振り戻す。ピックアップアーム２１１がペーパーピックアップ準備位置まで上昇すると、ストッパー部２２３は直立状態を維持しつつストッパー機能を発揮出来る。このためフィード装置は特にピックアップアーム２１１の近傍並びにストッパー部２２３の近傍に凸部２１１C及びフォーク２２３Aを形作り、さらに図３Ａで示すようにピックアップアーム２１１がピックアップ準備位置まで上昇すると、凸部２１１Cの位置は丁度フォーク２２３Aの振り経路２２３A‘上に位置し、ペーパーＳがストッパー部に押しやられた際、ストッパー部のフォーク２２３Aは凸部２１１C上にしっかり合わさり、ストッパー部２２３を直立状態に維持するよう設定されている。次に、ピックアップアーム２１１が図３Bで示すようにペーパーピックアップ位置まで下降し、凸部２１１Cがフォーク２２３A下方まで下降すると、フォーク２２３Aの振り経路２２３A‘を離脱し、これによりストッパー部２２３は自由に振れる。
【００１４】
本発明フィード装置２では、上下に振れ動き可能なピックアップアーム２１１がストッパー部２２３の側面水平方向に凸部２１１Cを伸ばし、振れ動き可能なストッパー部２２３はピックアップアーム２１１の前記側面水平方向にフォーク２２３Aを伸ばしており、これにより凸部２１１Cが上下に振れ動く過程で、フォーク２２３Aの振り経路２２３A‘を描き、ストッパー部２２３を直立状態に維持してストッパー機能を果たす。若しくはフォーク２２３Aの振り経路２２３A‘を離れて、ストッパー部２２３が自由に振れ動いてペーパーＳをフィードチャネル２０１内に進入させる。
【００１５】
本発明のフィード装置２内のストッパー部材２２はピックアップアーム２１１上の凸部２１１Cと相互に協働することで、ピックアップアーム２１１の昇降に従ってストッパー機能を果たし、若しくは失わせる機能を果たすのである。このためユーザーがペーパーＳをフィードチャネル２０１上にセットすると、ストッパー部材２２は従来の技術の様に最上層のペーパーＳが押し込まれた後、フィードチャネル２０１内に沈み込んでストッパーとしての機能を失ってしまうことがない。
【００１６】
図４Ａ乃至図４Ｆは、フィード装置２がピックアップモジュール２１及びストッパー部材２２によりペーパーピックアップ作業を完遂させるプロセスを順序だてて示したものである。
【００１７】
初めに図４Ａでは、フィード装置２がペーパーピックアップ作業にかかる前では、ピックアップモジュール２１のピックアップアーム２１１がペーパーピックアップ準備位置まで上昇すると、ストッパー部材２２のストッパー部２２３がピックアップアーム２１１の凸部２１１C上にきちっと合わさり直立状態を維持し、これによりペーパーＳがフィードチャネル２０１内に進入するのを防止する。本発明が提供するストッパー部材２２はピックアップアーム２１１の圧迫により回転を発生しない。
【００１８】
図４Ｂでは、フィード装置２がペーパーフィード作業を開始するとピックアップモジュール２１のピックアップモジュール２１１がペーパーピックアップ位置まで下降し、ピックアップ用のロール２１１AをペーパーＳの最上部に接触させ、この際凸部２１１Cもピックアップアーム２１１について下降し、こうしてストッパー部２２３の振れ動きに制限されなくなる。
【００１９】
図４Ｃではピックアップモジュール１１のピックアップ用のロール２１１AがペーパーＳをフィードチャネル２０１内にフィードさせると、ペーパーＳはストッパー部２２３を推進させ、ストッパー部２２３はフィードチャネル２０１内部方向へと振れ動き始める。
【００２０】
図４Ｄではピックアップモジュール１１のピックアップ用のロール２１１Aが引き続き回転すると、ストッパー部２２３はペーパーＳに圧迫されて凹溝２０２内に沈み込む。
【００２１】
図４ＥではペーパーＳがストッパー部２２３を通過すると、ストッパー部２２３は最早ペーパーＳに圧迫されることなく、ストッパー部２２３は秤部２２２の作用でもって元の直立状態に振り戻る。
【００２２】
図４Ｆではフィード装置２がペーパーフィード作業を終えると、ピックアップモジュール２１のピックアップアーム２１１が準備位置まで上昇し、このとき凸部２１１Cもピックアップアーム２１１についてフォーク２２３Aが可能な振り経路２２３A‘上まで上昇し、これにより再度ストッパー部２２３の触れ動きを制限して、ストッパー部材２２にストッパー機能を果たさせる。
【００２３】
図３Ａ、図４Ｄ及び図４Ｅでは、フィード装置２は特にピックアップアーム２１１上に止め板２１１Dを組み込み、ペーパーＳがストッパー部２２３の上方を通過し、ストッパー部２２３を反対方向に振れ動かすと、ストッパー部２２３は止め板２１１D上で止まり直立状態を維持する。
【００２４】
このほかに、フィード装置２のストッパー部材２２は秤部２２２によってストッパー部２２３が直立状態を維持できる以外に、フィード装置２も別途ねじりスプリング２２４をストッパー部２２３に組み込み、ペーパーＳがストッパー部２２３を圧迫すると、ねじりスプリング２２４の回転を促してねじりスプリング２２４を収縮させる。ペーパーＳがストッパー部２２３を通過してストッパー部２２３を圧迫しなくなると、ねじりスプリング２２４は反対方向に回転してストッパー部２２３が迅速に直立状態に戻るサポートをする。
【００２５】
以上の記述の実施例は本発明の技術思想と特徴を説明したに過ぎず、その目的はこの領域を熟知している技術者により本発明の内容を理解しそれに基づき実施し、本発明の請求項に限定されるものではないことはいうまでもない。すなわち、本発明が記載されている主旨によってなされた均一的な変化或いは修正についても、すべて上記の特許請求の範囲内に含まれる。
【図面の簡単な説明】
【００２６】
【図１】従来のピックアップモジュール並びにストッパー部材を示した立体図である。
【図２】本発明における好ましい実施例であるフィード装置を示した外観図である。
【図３Ａ】本発明のフィード装置がペーパーピックアップ作業を行なう前のピックアップモジュール並びにストッパー部材を示した立体図である。
【図３Ｂ】本発明のフィード装置がペーパーピックアップ作業を行おうとする際のピックアップモジュール並びにストッパー部材を示した立体図である。
【図４Ａ】本発明のフィード装置がピックアップモジュール及びストッパー部材によりペーパーピックアップ作業を完遂させるプロセスを順序だてて示したものである。
【図４Ｂ】本発明のフィード装置がピックアップモジュール及びストッパー部材によりペーパーピックアップ作業を完遂させるプロセスを順序だてて示したものである。
【図４Ｃ】本発明のフィード装置がピックアップモジュール及びストッパー部材によりペーパーピックアップ作業を完遂させるプロセスを順序だてて示したものである。
【図４Ｄ】本発明のフィード装置がピックアップモジュール及びストッパー部材によりペーパーピックアップ作業を完遂させるプロセスを順序だてて示したものである。
【図４Ｅ】本発明のフィード装置がピックアップモジュール及びストッパー部材によりペーパーピックアップ作業を完遂させるプロセスを順序だてて示したものである。
【図４Ｆ】本発明のフィード装置がピックアップモジュール及びストッパー部材によりペーパーピックアップ作業を完遂させるプロセスを順序だてて示したものである。
【符号の説明】
【００２７】
１１    ピックアップモジュール
１１１  当接部
１２    ストッパー部材
１２１  傾斜部
１２２  ストッパー部
２      フィード装置
２０    ケース
２０１  フィードチャネル
２０２  凹溝
２１    ピックアップモジュール
２１１A  ピックアップ用のロール
２１１B  パーティション用のロール
２１１C  凸部
２１１D  止め板
２１２  駆動シャフト
２２    ストッパー部材
２２１  スピン部
２２２  秤部
２２３  ストッパー部
２２３A  フォーク
２２３A‘  振り経路
２２４  ねじりスプリング
Ｓ      ペーパー
【図１】
2008024505.tif 000003
【図２】
2008024505.tif 000004
【図３Ａ】
2008024505.tif 000005
【図３Ｂ】
2008024505.tif 000006
【図４Ａ】
2008024505.tif 000007
【図４Ｂ】
2008024505.tif 000008
【図４Ｃ】
2008024505.tif 000009
【図４Ｄ】
2008024505.tif 000010
【図４Ｅ】
2008024505.tif 000011
【図４Ｆ】
2008024505.tif 000012